(57)【要約】【課題】  自分の生涯（人生）で起きる大切な出来事などを全て一冊に記録できるようにして保管性及び経済性を高めるとともに、色々な目的において多種多様な使い方を可能にして多機能性及び多目的性を高める。【解決手段】  複数年分の年間カレンダーを表示してなるカレンダー手帳１を構成するに際して、一頁又は二頁にわたった紙面Ｐに第一区画領域Ａ１と第二区画領域Ａ２を設定することにより、第一区画領域Ａ１に１年間分の年間カレンダーＣを表示し、かつ第二区画領域Ａ２に、少なくとも書込み可能な記録スペースＳを設けることにより、年間記録面Ｒを構成するとともに、順次年号に沿った少なくとも１００年分以上の年間記録面Ｒ…を有する紙面Ｐ…を一冊に綴じて構成する。【選択図】  図１
0003148099.tif 000002
【実用新案登録請求の範囲】
【請求項１】
複数年分の年間カレンダーを表示してなるカレンダー手帳において、一頁又は二頁にわたった紙面に第一区画領域と第二区画領域を設定することにより、前記第一区画領域に１年間分の年間カレンダーを表示し、かつ前記第二区画領域に、少なくとも書込み可能な記録スペースを設けることにより、年間記録面を構成するとともに、順次年号に沿った少なくとも１００年分以上の前記年間記録面を有する紙面を、一冊に綴じてなることを特徴とするカレンダー手帳。
【請求項２】
前記年間記録面は、１９０１年から２１００年に至る２００年分であることを特徴とする請求項１記載のカレンダー手帳。
【請求項３】
前記第二区画領域の一部には、過去の出来事又は未来の予定事を表示する特定表示スペースを設けることを特徴とする請求項１又は２記載のカレンダー手帳。
【請求項４】
前記年間記録面を有する紙面に加えて、誕生日の曜日に基づく性格表を表示した一又は二以上の第一特定紙面を設けることを特徴とする請求項１，２又は３記載のカレンダー手帳。
【請求項５】
前記年間記録面を有する紙面に加えて、所定の項目に対応したベストＮ（Ｎは整数）を書込み可能な記録スペースを有する一又は二以上の第二特定紙面を設けることを特徴とする請求項１〜４のいずれかに記載のカレンダー手帳。
【考案の詳細な説明】
【技術分野】
【０００１】
本考案は、複数年分の年間カレンダーを表示したカレンダー手帳の改良に関する。
【背景技術】
【０００２】
従来、複数年分のカレンダーを表示したカレンダー手帳としては、実用新案登録第３１３７２０１号公報で開示される手帳が知られている。
【０００３】
同公報で開示される手帳は、携帯性を損なうことなく過去の記録内容の確認を行いやすくしたものであり、１年分のカレンダーを１頁に表示した年間カレンダー頁と、１年間の目標を記入可能とした目標記入頁と、見開きの左側の頁に１日から１５日までの日ごとに区分した記入欄を設けるとともに、見開きの右側の頁に１６日から３１日までの日ごとに区分した記入欄を設けた月間カレンダー頁とを表紙と裏表紙との間に設け、表紙の紙面から裏表紙の紙面にかけて耐水性材のシート体を貼付けた手帳であって、５年分の年間カレンダー頁と、５年分の目標記入頁を備えている。
【特許文献１】実用新案登録第３１３７２０１号
【考案の開示】
【考案が解決しようとする課題】
【０００４】
しかし、上述した従来の手帳（カレンダー手帳）は、次のような問題点があった。
【０００５】
第一に、基本的には、手帳に表示する年間カレンダーを５年分に設定したものに過ぎないため、自分の生涯（人生）で起きる大切な出来事などを全て記録することができない。したがって、記録内容は５年前まで溯って確認できるものの、例えば、大人になって、子供のころの大切な出来事や記念日などを思い出せないときの記録を確認するツールとしてはほとんど利用できない。
【０００６】
第二に、自分の生まれたときから死ぬときまでの一生の期間の記録を一冊に記録できないため、このような長期間の記録を残す場合には何十冊もの手帳を必要とするなど、保管性や経済性の面で不利になるとともに、一冊に自分史的な記録を残すことができないなど、多機能性及び多目的性の観点からも十分とは言えない。
【０００７】
本考案は、このような背景技術に存在する課題を解決したカレンダー手帳の提供を目的とするものである。
【課題を解決するための手段】
【０００８】
本考案は、上述した課題を解決するため、複数年分の年間カレンダーを表示してなるカレンダー手帳１を構成するに際して、一頁又は二頁にわたった紙面Ｐに第一区画領域Ａ１と第二区画領域Ａ２を設定することにより、第一区画領域Ａ１に１年間分の年間カレンダーＣを表示し、かつ第二区画領域Ａ２に、少なくとも書込み可能な記録スペースＳを設けることにより、年間記録面Ｒを構成するとともに、順次年号に沿った少なくとも１００年分以上の年間記録面Ｒ…を有する紙面Ｐ…を、一冊に綴じてなることを特徴とする。
【０００９】
この場合、考案の好適な態様により、年間記録面Ｒ…として、１９０１年から２１００年に至る２００年分を設けることができる。また、第二区画領域Ａ２の一部には、過去の出来事又は未来の予定事を表示する特定表示スペースＡ２ｓを設けることができる。さらに、年間記録面Ｒ…を有する紙面に加えて、誕生日の曜日に基づく性格表を表示した一又は二以上の第一特定紙面Ｐｘを設けることができるとともに、所定の項目Ｋ…に対応したベストＮ（Ｎは整数）を書込み可能な記録スペースＳｃを有する一又は二以上の第二特定紙面Ｐｙ…を設けることもできる。
【考案の効果】
【００１０】
このような構成を有する本考案に係るカレンダー手帳１によれば、次のような顕著な効果を奏する。
【００１１】
（１）  第一区画領域Ａ１に１年間分の年間カレンダーＣを表示し、かつ第二区画領域Ａ２に、少なくとも書込み可能な記録スペースＳを設けることにより、年間記録面Ｒを構成するとともに、順次年号に沿った少なくとも１００年分以上の年間記録面Ｒ…を有する紙面Ｐ…を、一冊に綴じてなるため、自分の生涯（人生）で起きる大切な出来事などを全て記録することができる。したがって、例えば、大人になって、子供のころの大切な出来事や記念日などを思い出せないときの記録を確認するためのツールとして活用できる。
【００１２】
（２）  自分の生まれたときから死ぬときまでの一生の期間の記録を一冊に記録することができるため、保管性及び経済性に優れる。しかも、一冊で様々な内容を盛り込んだ自分史的な記録を残すことができることに加え、色々な目的において多種多様な使い方ができるなど、多機能性及び多目的性にも優れる。
【００１３】
（３）  好適な態様により、年間記録面Ｒ…として、１９０１年から２１００年に至る２００年分を設ければ、自分の両親の誕生日や孫の成人式など、自分の人生に関係する様々な記録を漏れ無く盛り込むことができるなど、より望ましいパフォーマンスを得ることができる。
【００１４】
（４）  好適な態様により、第二区画領域Ａ２の一部に、過去の出来事又は未来の予定事を表示する特定表示スペースＡ２ｓを設ければ、社会の様々な出来事に対して自分自身の記録を対応させることができ、より記録内容を充実させることができる。
【００１５】
（５）  好適な態様により、年間記録面Ｒ…を有する紙面Ｐ…に加えて、誕生日の曜日に基づく性格表を表示した第一特定紙面Ｐｘを設ければ、年間カレンダーＣにおける誕生日の曜日から容易に性格を知ることができる。即ち、通常、誕生日の曜日まで覚えている人は少ないが、本カレンダー手帳１を用いることにより、誕生日の曜日を容易に知ることができるため、手軽に誕生日に対する曜日別の性格占いなどを行うことができる。
【００１６】
（６）  好適な態様により、年間記録面Ｒ…を有する紙面Ｐ…に加えて、所定の項目Ｋ…に対応したベストＮ（Ｎは整数）を書込み可能な記録スペースＳｃを有する第二特定紙面Ｐｙ…を設ければ、例えば、ベスト１０として「人生で出会った大切な１０人」等を容易に作成することができ、興味性や付加価値をより高めることができる。
【考案を実施するための最良の形態】
【００１７】
次に、本考案に係る最良の実施形態に係るカレンダー手帳１について、図１〜図６を参照して具体的に説明する。
【００１８】
カレンダー手帳１は、図２に示すように、全体を一般的な手帳、即ち、表紙３ｆと裏表紙３ｒの間に多数の紙葉２…を挟んで綴じた一般的な手帳と同様に製作することができる。なお、大きさとしては「Ａ５」サイズが望ましい。また、表紙３ｆと裏表紙３ｒは、長い年月に耐え得るように、容易に痛まない素材を用いたり或いは紙を用いた場合には合成樹脂製の透明カバーにより覆うなどすることが望ましい。
【００１９】
一方、各紙葉２…の片面は一頁となるため、この１頁の紙面Ｐを年間記録面Ｒとして構成する。年間記録面Ｒは、図１及び図３に示すように、紙面Ｐ内に設定した第一区画領域Ａ１と第二区画領域Ａ２を有する。第一区画領域Ａ１は、見開き状態にした右側の紙面Ｐの場合、右上に設定するとともに、残りの領域を第二区画領域Ａ２に設定する。この場合、第一区画領域Ａ１と第二区画領域Ａ２の面積比は、半々程度に選定することが望ましい。そして、第一区画領域Ａ１には、１年間分の年間カレンダーＣを表示する。例示の場合、横方向に三ケ月分、縦方向に四ケ月分を表示した。他方、第一区画領域Ａ１の横方には、第二区画領域Ａ２の一部が縦長に設定されるため、この部分に罫線で仕切った四つの記録エリアを上下方向に表示して第一記録スペースＳａを設ける。さらに、第一区画領域Ａ１の下方には、第二区画領域Ａ２の一部が横長に設定されるため、この部分に罫線を引いた七行分の記録エリアを表示して第二記録スペースＳｂを設ける。この第一記録スペースＳａと第二記録スペースＳｂは書込み可能な記録スペースＳを構成する。
【００２０】
また、第一区画領域Ａ１と第二記録スペースＳｂ間には、過去の出来事又は未来の予定事を表示する特定表示スペースＡ２ｓを設ける。この場合、カレンダー手帳１の作成日よりも過去分となる特定表示スペースＡ２ｓには、過去の出来事、例えば、大きな事件，イベント，記念日，有名人の誕生日等を予め印刷して表示することができる。図３は、１９２３年（大正１２年）と１９２４年（大正１３年）に対応した年間記録面Ｒ…を示す。この場合、過去の出来事を印刷により予め表示する。他方、カレンダー手帳１の作成日よりも未来となる特定表示スペースＡ２ｓは空白欄となる。図４は、２０９９年と２１００年に対応する年間記録面Ｒ…を示す。この場合、特定表示スペースＡ２ｓは空白欄となる。この空白欄には、使用者が未来の予定事を自由に書込むことができる。このような特定表示スペースＡ２ｓを設ければ、社会の様々な出来事に対して自分自身の記録を対応させることができ、より記録内容を充実させることができる。
【００２１】
一頁分の紙面Ｐに、このような表示レイアウトを行うことにより、一年分の年間記録面Ｒが構成される。以上、見開き状態の右側の紙面Ｐの場合について説明したが、左側の紙面Ｐの場合も、左右対称にレイアウトする点を除いて右側の紙面Ｐの場合と同様に構成する。そして、このような年間記録面Ｒ…を有する紙面Ｐ…を、順次年号に沿った少なくとも１００年分以上設ける。例示の場合、１９０１年から２１００年に至る２００年分を設けたものである。年間記録面Ｒ…として、１９０１年から２１００年に至る２００年分を設ければ、自分の両親の誕生日や孫の成人式など、自分の人生に関係する様々な記録を漏れ無く盛り込むことができるなど、より望ましいパフォーマンスを得ることができる。
【００２２】
また、図５に示すように、誕生日の曜日に基づく性格表を表示した第一特定紙面Ｐｘを一頁分設ける。このような第一特定紙面Ｐｘを設ければ、年間カレンダーＣにおける誕生日の曜日から容易に性格を知ることができる。即ち、通常、誕生日の曜日まで覚えている人は少ないが、本カレンダー手帳１を用いることにより、誕生日の曜日を容易に知ることができるため、手軽に誕生日に対する曜日別の性格占いなどを行うことができる。
【００２３】
さらに、図６に示すように、所定の項目Ｋ…に対応したベストＮ（Ｎは整数）を書込み可能な記録スペースＳｃを有する第二特定紙面Ｐｙ…を設ける。この場合、所定の項目Ｋ…としては、例示する「人生で出会った大切な１０人」や「人生で出会った大切な１０の記念日」をはじめ、「人生で出会った大切な１０の言葉」，「人生で出会った大切な１０本の映画」，「人生で出会った大切な１０の場所」等、様々な項目Ｋ…を設定できる。記録スペースＳｃには、罫線を引いたＮ行分（例示は１０行分）の記録エリアを設ける。このような第二特定紙面Ｐｙ…を設ければ、例えば、ベスト１０として「人生で出会った大切な１０人」等を容易に作成することができ、興味性や付加価値をより高めることができる。
【００２４】
そして、前述した年間記録面Ｒ…を表示した紙面Ｐ…を有する紙葉２…，第一特定紙面Ｐｘを有する紙葉２，第二特定紙面Ｐｙ…を有する紙葉２…を、前述した表紙３ｆ及び裏表紙３ｒと組合わせて一冊に綴じれば、図１及び図２に示すカレンダー手帳１を得ることができる。なお、このようなカレンダー手帳１には、必要に応じて他の紙面、例えば、１年分の月間スケジュールの記入紙面や３年分の年間スケジュールの記入紙面等、様々な他の紙面を含めることができる。
【００２５】
このようなカレンダー手帳１を利用することにより、基本的には、各年間記録面Ｒ…に、その年に起きた大切な出来事等を日記帳のように記録して残すことができる。また、様々な使い方が可能となり、具体的には、自分や家族，友人知人の誕生日や記念日を記録する（備忘録機能）、手掛けたビジネスを日付で記録する（ビジネス履歴機能）、自分や家族，仕事の将来計画の予定を記載する（将来計画機能）、自分の日記を書く（一言日記）、自分の年間計画を立てる（スケジュール機能）、自分の人生で出会った大切なことを書く、歴史上の出来事を時系列で見る、などの使い方が可能となる。
【００２６】
よって、本実施形態に係るカレンダー手帳１によれば、第一区画領域Ａ１に１年間分の年間カレンダーＣを表示し、かつ第二区画領域Ａ２に、少なくとも書込み可能な記録スペースＳを設けることにより、年間記録面Ｒを構成するとともに、順次年号に沿った少なくとも１００年分以上の年間記録面Ｒ…を有する紙面Ｐ…を、一冊に綴じてなるため、自分の生涯（人生）で起きる大切な出来事などを全て記録することができる。したがって、例えば、大人になって、子供のころの大切な出来事や記念日などを思い出せないときの記録を確認するためのツールとして活用できる。また、自分の生まれたときから死ぬときまでの一生の期間の記録を一冊に記録することができるため、保管性及び経済性に優れる。しかも、一冊で様々な内容を盛り込んだ自分史的な記録を残すことができることに加え、色々な目的において多種多様な使い方ができるなど、多機能性及び記録能力にも優れる。
【００２７】
以上、最良の実施形態について詳細に説明したが、本考案は、このような実施形態に限定されるものではなく、細部の構成，形状，素材，数量，数値等において、本考案の要旨を逸脱しない範囲で、任意に変更，追加，削除することができる。
【００２８】
例えば、年間記録面Ｒは一頁により構成した場合を示したが、見開き状態の二頁にわたって設けてもよい。また、年間記録面Ｒには第一区画領域Ａ１と第二区画領域Ａ２を設定した場合を示したが、必要により他の区画領域（第三区画領域等）を設定してもよい。さらに、年間記録面Ｒ…として、１９０１年から２１００年に至る２００年分を設けた場合を示したが、任意の年号により設定できるとともに、１００年分以上であれば、任意の期間を設定可能である。
【図面の簡単な説明】
【００２９】
【図１】本考案の最良の実施形態に係るカレンダー手帳を開いた状態の一部を示す斜視図、
【図２】同カレンダー手帳を閉じた状態の全体を示す斜視図、
【図３】同カレンダー手帳を開いた状態の年間記録面の紙面構成図、
【図４】同カレンダー手帳を開いた状態の他の年間記録面の紙面構成図、
【図５】同カレンダー手帳を開いた状態の第一特定紙面の紙面構成図、
【図６】同カレンダー手帳を開いた状態の第二特定紙面の紙面構成図、
【符号の説明】
【００３０】
１：カレンダー手帳，Ｐ…：紙面，Ｐｘ：第一特定紙面，Ｐｙ…：第二特定紙面，Ａ１：第一区画領域，Ａ２：第二区画領域，Ａ２ｓ：特定表示スペース，Ｃ：年間カレンダー，Ｓ：記録スペース，Ｓｃ：記録スペース，Ｒ…：年間記録面，Ｋ…：所定の項目
【図１】
0003148099.tif 000003
【図２】
0003148099.tif 000004
【図３】
0003148099.tif 000005
【図４】
0003148099.tif 000006
【図５】
0003148099.tif 000007
【図６】
0003148099.tif 000008